(57)【要約】【課題】  特定のシートを使用するジョブ以外のジョブで、特定のシートが誤って使用されてしまうことを防止する。【解決手段】    印刷装置であって、シートを給紙する複数の給紙手段と、受け付けた順にジョブを保持する保持手段と、次に処理すべきジョブに特定の給紙手段から特定シートを給紙可能となるまで、ジョブの開始を見合わせる一時停止コマンドが付加されているかどうかを判断する判断手段と、前記一時停止コマンドが付加されていると判断した場合、前記特定シートを用いない後続のジョブを先に処理し、一時停止コマンドが付加されているジョブは、使用する特定シートが特定の給紙手段から給紙可能となるまで、当該ジョブの開始を停止させるジョブ制御手段と、前記特定の給紙手段から特定のシートを給紙可能となることに応じて、一時停止コマンドが付加されているジョブの印刷を行う印刷手段と、を備えたことを特徴とする。【選択図】  図５
2014108526.tif 000002
【特許請求の範囲】
【請求項１】
印刷装置であって、
シートを給紙する複数の給紙手段と、
受け付けた順にジョブを保持する保持手段と、
次に処理すべきジョブに特定の給紙手段から特定シートを給紙可能となるまで、ジョブの開始を見合わせる一時停止コマンドが付加されているかどうかを判断する判断手段と、
前記一時停止コマンドが付加されていると判断した場合、前記特定シートを用いない後続のジョブを先に処理し、一時停止コマンドが付加されているジョブは、使用する特定シートが特定の給紙手段から給紙可能となるまで、当該ジョブの開始を停止させるジョブ制御手段と、
前記特定の給紙手段から特定のシートを給紙可能となることに応じて、一時停止コマンドが付加されているジョブの印刷を行う印刷手段と、
を備えたことを特徴とする印刷装置。
【請求項２】
前記ジョブ制御手段は、特定のシートを特定の給紙手段に収容することに応じて行う第１のジョブ制御と、特定のシートを給紙する特定の給紙手段を選択することに応じて行う第２のジョブ制御とのいずれかを切替えて実行することを特徴とする請求項１記載の印刷装置。
【請求項３】
前記保持手段に保持されたジョブを含む受け付けたジョブリストを表示する表示手段と、
前記表示手段に表示されたジョブリストから一時停止コマンドが付加されたジョブが使用する特定のシートを収容させる特定の給紙手段を決定する決定手段と、
決定された特定の給紙手段に特定のシートが収容されていることを検知する検知手段と、
前記ジョブ制御手段は、特定のシートを収容させる特定の給紙手段が決定されることに応じて、決定された特定のシートを給紙する給紙手段を、検知される特定シートを給紙するジョブの処理が完了するまで、他のジョブでは選択できないよう保護し、検知される特定シートを給紙するジョブの処理が完了した後、当該給紙手段が他のジョブでも選択できるように保護を解除する第１のジョブ制御を実行することを特徴とすることを特徴とする請求項１記載の印刷装置。
【請求項４】
いずれかの給紙手段に対するシートの種別が変更されることに応じて、変更されたシートの種別が前記保持手段に保持されたジョブに設定されたシート種別が一致するかどうかを判別する判別手段を備え、
前記ジョブ制御手段は、保持されたジョブに設定されたシート種別が一致すると判別した場合、当該シート種別に一致するシートを給紙する給紙手段を、当該給紙手段から特定シートを給紙するジョブの処理が完了するまで、他のジョブでは選択できないよう保護し、当該給紙手段から特定シートを給紙するジョブの処理が完了した後、当該給紙手段が他のジョブでも選択できるように保護を解除する第２のジョブ制御を実行することを特徴とすることを特徴とする請求項１記載の印刷装置。
【請求項５】
前記表示手段は、一時停止コマンドが付加されているジョブと、一時停止コマンドが付加されていないジョブとを識別可能に表示し、かつ、一時停止コマンドが付加されているジョブに対する設定を受け付けるボタンを表示することを特徴とする請求項３記載の印刷装置。
【請求項６】
前記印刷手段は、特定のシートを収容させる特定の給紙手段が決定されることに応じて、ジョブから印刷する画像データを生成する処理を開始することを特徴とする請求項３記載の印刷装置。
【請求項７】
前記印刷手段は、いずれかの給紙手段に対するシートの種別が変更されることに応じて、ジョブから印刷する画像データを生成する処理を開始することを特徴とする請求項４記載の印刷装置。
【請求項８】
シートを給紙する複数の給紙手段と、受け付けた順にジョブを保持する保持手段とを有する印刷装置の制御方法であって、
次に処理すべきジョブに特定の給紙手段から特定シートを給紙可能となるまで、ジョブの開始を見合わせる一時停止コマンドが付加されているかどうかを判断する判断工程と、
前記一時停止コマンドが付加されていると判断した場合、前記特定シートを用いない後続のジョブを先に処理し、一時停止コマンドが付加されているジョブは、使用する特定シートが特定の給紙手段から給紙可能となるまで、当該ジョブの開始を停止させるジョブ制御工程と、
前記特定の給紙手段から特定のシートを給紙可能となることに応じて、一時停止コマンドが付加されているジョブの印刷を印刷手段で行う印刷工程と、
を備えたことを特徴とする印刷装置の制御方法。
【請求項９】
請求項８に記載の印刷装置の制御方法をコンピュータに実行させることを特徴とするプログラム。
【発明の詳細な説明】
【技術分野】
【０００１】
本発明は、特定のシートを使用するジョブを処理する印刷装置、印刷装置の制御方法、及びプログラムに関する。
【背景技術】
【０００２】
従来、給紙カセットのような給紙手段のシートに、印刷に使用すべきシートがなければ、そこで印刷を停止し、シートが補充されるまで印刷を停止する印刷装置がある。
例えば、給紙手段を１つしか持たない印刷装置では、受け付けたジョブの印刷に使用すべき給紙カセットになかったら、ユーザによってそのシートが補充されるまで印刷を停止する。その後、ユーザは、印刷装置のシートが不足していることを確認し、印刷に使用したいシートを給紙手段に補充して、印刷装置の印刷を開始させる。
【０００３】
また、従来の印刷装置は、複数のジョブを記憶手段に記憶し、変更がない限り、先に受け付けて記憶した順にジョブを実行する（特許文献１）。
【先行技術文献】
【特許文献】
【０００４】
【特許文献１】特開平１１−１３４１２２号公報
【発明の概要】
【発明が解決しようとする課題】
【０００５】
しかしながら、従来の方法では、ユーザが送信したジョブより前に、別のジョブが先に他のユーザによって送信されて印刷装置に記憶されていると、当該別のジョブのために、特殊な用紙が誤って使用されてしまう。
【０００６】
本発明は、上記の課題を解決するためになされたもので、本発明の目的は、特定のシートを使用するジョブ以外のジョブで、特定のシートが誤って使用されてしまうことを防止できる仕組みを提供することである。
【課題を解決するための手段】
【０００７】
上記目的を達成する本発明の印刷装置は以下に示す構成を備える。
印刷装置であって、シートを給紙する複数の給紙手段と、受け付けた順にジョブを保持する保持手段と、次に処理すべきジョブに特定の給紙手段から特定シートを給紙可能となるまで、ジョブの開始を見合わせる一時停止コマンドが付加されているかどうかを判断する判断手段と、前記一時停止コマンドが付加されていると判断した場合、前記特定シートを用いない後続のジョブを先に処理し、一時停止コマンドが付加されているジョブは、使用する特定シートが特定の給紙手段から給紙可能となるまで、当該ジョブの開始を停止させるジョブ制御手段と、前記特定の給紙手段から特定のシートを給紙可能となることに応じて、一時停止コマンドが付加されているジョブの印刷を行う印刷手段と、を備えたことを特徴とする。
【発明の効果】
【０００８】
本発明によれば、特定のシートを使用するジョブ以外のジョブで、特定のシートが誤って使用されてしまうことを防止できる。
【図面の簡単な説明】
【０００９】
【図１】印刷装置を適用する印刷システムの一例を示す図である。
【図２】図１に示した印刷装置とコンピュータの構成を示すブロック図である。
【図３】印刷装置の制御方法を説明するフローチャートである。
【図４】印刷装置の制御方法を説明するフローチャートである。
【図５】印刷装置の制御方法を説明するフローチャートである。
【図６】本実施形態を示す印刷装置で表示可能なＵＩ画面を示す図である。
【発明を実施するための形態】
【００１０】
次に本発明を実施するための最良の形態について図面を参照して説明する。
＜システム構成の説明＞
〔第１実施形態〕
図１は、本実施形態を示す印刷装置を適用する印刷システムの一例を示す図である。
図１に示すように、本例は、複数のコンピュータ１０１、１０２と、複数の印刷装置１０３，１０４が、ネットワーク１０５を介して接続され、所定のプロトコルで双方向に通信可能に構成されている。なお、印刷装置１０３，１０４には、シート（用紙）を給紙するための複数の給紙カセットを備えている。したがって、ユーザは、各給紙カセットから給紙するシート種別を設定することで、通常のシートの他にユーザが意図する特定のシートを給紙する給紙カセットとして機能させることも可能に構成されている。
【００１１】
図２は、図１に示した印刷装置１０３、１０４とコンピュータ１０１，１０２の構成を示すブロック図である。
図２において、ＣＰＵ２０２を含む制御部２０１は、印刷装置１０３、１０４全体の動作をＲＯＭ２０３またはＨＤＤ２０５に記憶された制御プログラムを実行することにより制御する。また、ＣＰＵ２０２は、ＲＯＭ２０３に記憶された制御プログラムを読み出して読取制御や送信制御などの各種制御処理を実行する。ＲＡＭ２０４は、ＣＰＵ２０２の主メモリ、ワークエリア等の一時記憶領域として用いられる。なお、ＣＰＵ２０２は、受け付けた順にジョブを保持する保持領域としても使用される。ここで、保持領域をＨＤＤ２０５に確保する構成であってもよい。
【００１２】
ＨＤＤ２０５は、画像データや各種プログラムや各種設定情報を記憶する。操作部Ｉ／Ｆ２０６は、操作部２１０と制御部２０１とを接続する。操作部２１０には、タッチパネル機能を有する液晶表示部やキーボードなどが備えられている。プリンタＩ／Ｆ２０７は、プリンタ２１１と制御部２０１とを接続する。プリンタ２１１で印刷すべき画像データはプリンタＩ／Ｆ２０７を介して制御部２０１からプリンタ２１１に転送され、プリンタ２１１において記録媒体上に印刷される。
【００１３】
スキャナＩ／Ｆ２０８は、スキャナ２１２と制御部２０１とを接続する。スキャナ２１２は、原稿上の画像を読み取って画像データを生成し、スキャナＩ／Ｆ２０８を介して制御部２０１に入力する。ネットワークＩ／Ｆ２０９は、制御部２０１（印刷装置１０３、１０４）をＬＡＮ２１３に接続する。ネットワークＩ／Ｆ２０９は、ＬＡＮ２１３上の外部装置（例えば、コンピュータ１０１、１０２）に画像データを送信したり、ＬＡＮ２１３上の外部装置（例えば、コンピュータ１０１、１０２）からプリントジョブや各種情報を受信したりする。
【００１４】
コンピュータ２１４は、ネットワークＩ／Ｆ２１５を介してＬＡＮ２１３に接続される。コンピュータ２１４は、コンピュータ内の電子文書２１７を、アプリケーション２１６を介してプリントジョブとして印刷装置１０３、１０４に送信する。
図３は、本実施形態を示す印刷装置の制御方法を説明するフローチャートである。本例は、ユーザが用意した特殊な用紙を確実にユーザのジョブに適用するとともに、他のジョブに使用されないようにするための制御例である。なお、各ステップは、ＣＰＵ２０２がＲＯＭ２０３、ＨＤＤ２０５から読み出される制御プログラムを実行することで実現される。以下、例えばＲＡＭ２０４やＨＤＤ２０５に保持された次に処理すべきジョブに特定の給紙手段から特定シートを給紙可能となるまで、ジョブの開始を見合わせる一時停止コマンドが付加されているかどうかを判断する処理を含む印刷処理を説明する。また、後述するＳ３００５では、さらに後述する図４に示す第１のジョブ制御と、図５に示す第２のジョブ制御に切替えて実行する制御例を説明する。
【００１５】
Ｓ３００１では、印刷装置１０３、１０４は、コンピュータ１０１、１０２から、プリントジョブを、ＬＡＮ２１３を介して受け付ける。このプリントジョブには、画像データの他に、印刷時のレイアウトや用紙などの設定も含まれている。
【００１６】
本処理例ではその設定に含まれる「給紙モード」と"用紙設定"を参照して処理を行う。ここで、「給紙モード」とは、印刷装置１０３、１０４が、受け付けたプリントジョブを直ぐに印字処理するか一時停止するかを示すものである。「用紙設定」とは、印刷時の用紙サイズ、用紙タイプを示すものである。
【００１７】
Ｓ３００２で、印刷装置１０３、１０４のＣＰＵ２０２は、プリントジョブの「給紙モード」の設定が一時停止であるか否か（一時停止コマンドがジョブに付加されているか否か）を判定する。プリントジョブの給紙モードの設定が一時停止でないと印刷装置１０３、１０４のＣＰＵ２０２判断した場合、Ｓ３００３に進み、通常の印刷を行って、本処理を終了する。
一方、印刷装置１０３、１０４のＣＰＵ２０２が「給紙モード」が一時停止であると判断した場合、Ｓ３００４に進む。そして、Ｓ３００４で、印刷装置１０３、１０４のＣＰＵ２０２は、プリントジョブの印刷を開始する前に一時停止するように制御する。印刷装置１０３、１０４のＣＰＵ２０２は、プリントジョブを受け付けると、受け付け順にプリントジョブをプリントジョブの実行キューに並べ、実行キューの先頭から順次印刷処理を行う。
【００１８】
ここで、印刷装置１０３、１０４のＣＰＵ２０２は、「給紙モード」に一時停止が設定されているジョブも、他のプリントジョブと同様にプリントジョブの実行キューに追加する。しかしながら、ＣＰＵ２０２は、実行キューの先頭になっても印刷処理を行わず、一時停止のジョブを追い越して後続のジョブを実行するように制御する。
そして、Ｓ３００５で、印刷装置１０３、１０４のＣＰＵ２０２は次の2つのいずれかの事象が発生したことを検知するまで、Ｓ３００４で一時停止したプリントジョブを一時停止のままで印刷装置１０３，１０４の例えばＨＤＤ２０５内に保持するように制御する。
【００１９】
ここで、２つの事象とは、印刷装置１０３、１０４のＣＰＵ２０１が、給紙カセットの用紙が変更されたことを検知すること、または、操作部２１０上に表示しているジョブリスト（図６参照）から停止中のジョブが選択されたことを検知することである。
例えば印刷装置１０３、１０４のＣＰＵ２０２が給紙カセットの用紙設定が変更されたことを検知したら、図４に示すフローチャートに進み、ジョブリストから停止中のジョブが選択されたことを検知したら、図５に示すフローチャートに進む。なお、本実施形態では、一時停止コマンドが付加されているとＣＰＵ２０２が判断した場合、図４に示す第１のジョブ制御か、図５に示す第２のジョブ制御を実行する。ここで、ジョブ制御とは、特定シートを用いない後続のジョブを先に処理し、一時停止コマンドが付加されているジョブは、使用する特定シートが特定の給紙手段から給紙可能となるまで、当該ジョブの開始を停止させることに対応する。
一方、プリンタ２１１は、特定の給紙手段から特定のシートを給紙可能となることに応じて、一時停止コマンドが付加されているジョブの印刷を行う。
【００２０】
図４は、本実施形態を示す印刷装置の制御方法を説明するフローチャートである。本例は、Ｓ３００５において、印刷装置１０３、１０４のＣＰＵ２０２が給紙カセットの用紙設定が変更されたことを検知することにより実行される処理例である。なお、各ステップは、ＣＰＵ２０２がＲＯＭ２０３、ＨＤＤ２０５から読み出される制御プログラムを実行することで実現される。以下、ＣＰＵ２０２の各種処理について説明する。各種処理は、いずれかの給紙カセットに対するシートの種別が変更されることに応じて、ＣＰＵ２０２が変更されたシートの種別がＲＡＭ２０４やＨＤＤ２０５に保持されたジョブに設定されたシート種別が一致すると判別した場合の処理を含む。また、各種処理は、当該シート種別に一致するシートを給紙する給紙カセットを、当該給紙カセットから特定シートを給紙するジョブの処理が完了するまで、他のジョブでは選択できないよう保護する処理を含む。さらに、各種処理は、当該給紙カセットから特定シートを給紙するジョブの処理が完了した後、当該給紙カセットが他のジョブでも選択できるように保護を解除する第２のジョブ制御を含む
印刷装置１０３、１０４のＣＰＵ２０２が、図３に示したＳ３００５において、給紙カセットの用紙設定が変更されたことを検知したら(Ｓ３００５)、Ｓ４００１に処理を進める。Ｓ４００１で、印刷装置１０３、１０４のＣＰＵ２０２は、操作部２１０に、ユーザが操作部２１０を用いて変更した用紙の用紙サイズと用紙タイプ（用紙種別、例えば厚紙、上質紙等）を設定するように表示する。
【００２１】
Ｓ４００２で、印刷装置１０３、１０４のＣＰＵ２０２は、Ｓ４００１で入力された用紙サイズと用紙タイプが、一時停止しているプリントジョブに設定されている用紙サイズと用紙タイプと一致するか否かを判断する。なお、一時停止しているジョブが複数ある場合には、それらすべてについて確認する。
【００２２】
Ｓ４００２において、印刷装置１０３、１０４のＣＰＵ２０２が一致するジョブが無いと判断した場合は、Ｓ４００３に進み、通常の印刷処理を行い、本処理を終了する。ここで言う通常の印刷処理とは、印刷装置１０３、１０４内にジョブが存在していれば、キューイングされている先頭のジョブを再開し、ジョブが存在していなければそのまま待機状態になることを示す。
一方、印刷装置１０３、１０４のＣＰＵ２０２が一致するジョブがあると判断した場合は、Ｓ４００４に進む。
【００２３】
Ｓ４００４では、印刷装置１０３、１０４のＣＰＵ２０２は、操作部２１０にＳ３００５で検知した給紙カセットの用紙を、Ｓ４００２で一致していると判断した一時停止中ジョブで使用する用紙として適用するか否かを確認するＵＩ画面の表示を行う。ここで、一致する一時停止中のジョブが複数存在すると印刷装置１０３、１０４のＣＰＵ２０２が判断した場合、印刷装置１０３、１０４のＣＰＵ２０２は、それらのジョブをリストで表示する。例えば、印刷装置１０３、１０４のＣＰＵ２０２は、その中から適用するジョブをユーザにより選択させるような、図６の（Ａ）に示すＵＩ画面の表示を行う。
【００２４】
図６は、本実施形態を示す印刷装置で表示可能なＵＩ画面を示す図である。本例は、ＣＰＵ２０２が操作部２１０の表示部に表示するＵＩ画面である。具体的には、一時停止コマンドが付加されているジョブと、一時停止コマンドが付加されていないジョブとを識別可能に表示し、かつ、一時停止コマンドが付加されているジョブに対する設定を受け付けるボタンを表示した例である。
図６の（Ａ）において、印刷装置１０３、１０４のＣＰＵ２０２が表示されたＵＩ画面に対して、ユーザが適用しないボタン６０３を押下したことを検知したら、Ｓ４００３に進み、通常の印刷処理を続ける。
一方、印刷装置１０３、１０４のＣＰＵ２０２が、ジョブ名６０１の横の適用するボタン６０２が押下されたことを検知したら、ＣＰＵ２０２は、Ｓ４００６に処理を進める。そして、ＣＰＵ２０２は、Ｓ３００５で検知した給紙カセットをＳ４００５で適用すると設定したジョブ以外に使用されないようにロックする。これにより、他の後続するジョブに当該用紙が使用されてしまうことを確実に防止できる。
【００２５】
続いて、Ｓ４００７に進み、印刷装置１０３、１０４のＣＰＵ２０２は、Ｓ４００５で設定された一時停止中のジョブが、印刷装置１０３、１０４内にあるプリントジョブの実行キューの先頭になったら印刷を開始する。
そして、Ｓ４００８で印刷装置１０３、１０４のＣＰＵ２０２が、印刷が終了したことを検知したら、Ｓ４００９に進み、ＣＰＵ２０２は、Ｓ４００６でロックした給紙カセットのロックを解除して、本処理を終了する。なお、この時、ロックした給紙カセットに用紙が残っていたら、操作部２１０に用紙を取り除くように表示し、用紙が取り除かれたことを検知してからロックを解除してもよい。これにより、他のジョブが当該給紙カセットに収容された特定の用紙を誤って使用してしまうことを確実に防止できる。
【００２６】
また、ＣＰＵ２０２がロックした給紙カセットに予めセットされていた用紙サイズ、用紙のタイプを図示しない不揮発性のメモリ（例えばＮＶＲＡＭ）等に記憶しておき、次のように制御してもよい。ＣＰＵ２０２は、ユーザの特殊な用紙が取り除かれたことを確認したタイミングで、その給紙カセットに対する用紙の設定を、元の用紙サイズ用紙タイプの設定に戻してもよい。
なお、上記の説明では、一時停止コマンドが付加されたジョブを展開する処理について説明を省略している。ここでは、プリンタ２１１が特定のシートを収容させる特定の給紙手段が決定されることに応じて、ジョブから印刷する画像データを生成する処理を開始する構成となっている。これにより、できるだけ速やかに一時停止コマンドが付加されたジョブの印刷処理を開始できる。
【００２７】
以上のように、ユーザが印刷装置１０３、１０４にプリントジョブを投入した後で、印刷装置１０３、１０４の給紙カセットに用紙をセットするフローを制御する。それによって、ユーザが用意した特殊な用紙を確実にユーザのジョブに適用するとともに、他のジョブに使用されないように制御することが可能となる。
【００２８】
図５は、本実施形態を示す印刷装置の制御方法を説明するフローチャートである。本例は、Ｓ３００５において、印刷装置１０３、１０４のＣＰＵ２０２が操作部２１０上に表示しているジョブリストから停止中のジョブが選択されたことを検知することにより実行される処理例である。なお、各ステップは、ＣＰＵ２０２がＲＯＭ２０３、ＨＤＤ２０５から読み出される制御プログラムを実行することで実現される。以下、ＲＡＭ２０４やＨＤＤ２０５に保持されたジョブを含む受け付けたジョブリストを図６に示すＵＩ画面で表示する処理を説明する。また、ユーザが操作部２１０に表示されたジョブリストから一時停止コマンドが付加されたジョブが使用する特定のシートを収容する特定の給紙手段を決定するための処理を説明する。そして、ＣＰＵ２０２が特定のシートを収容させる特定の給紙カセットが決定されたら、決定された特定のシートを給紙する給紙カセットを、検知される特定シートを給紙するジョブの処理が完了するまで、他のジョブでは選択できないよう保護する処理を説明する。また、検知される特定シートを給紙するジョブの処理が完了した後、当該給紙手段が他のジョブでも選択できるように保護を解除する第１のジョブ制御を説明する。
本処理に先立ち、ＣＰＵ２０２は、図６の（Ｂ）に示すＵＩ画面（ジョブリスト画面）を操作部２１０に表示する。本ＵＩ画面例では、ジョブ名６０４の横にそのジョブの状態６０５を表示しており、「給給紙モード」に一時停止が設定されているジョブの場合は、設定ボタン６０６が表示されている。
このＵＩ画面において、印刷装置１０３、１０４のＣＰＵ２０２が操作部２１０に表示するジョブリストの中から一時停止中のジョブの設定ボタン６０６が押下されたことを検知したら、Ｓ５００１に進む。
そして、Ｓ５００１では、印刷装置１０３、１０４のＣＰＵ２０２は、印刷装置１０３、１０４内の適切な給紙カセットを選択し、その給紙カセットを一時停止中のジョブで使用することを決定する。
【００２９】
Ｓ５００２では、印刷装置１０３、１０４のＣＰＵ２０２は、Ｓ５００１で決定した給紙カセットをＳ３００５で選択された一時停止中のジョブ以外のジョブに使用されないようにロックする。Ｓ５００３では、印刷装置１０３、１０４のＣＰＵ２０２は、操作部２１０にＳ５００２で決定した給紙カセットにＳ３００５で選択したジョブに使用する用紙をセットするように表示する。
【００３０】
そして、Ｓ５００４で、印刷装置１０３、１０４のＣＰＵ２０２は、Ｓ５００２で決定した給紙カセットに用紙がセットされたことを検知したら、Ｓ３００５に処理を進める。Ｓ３００５で、印刷装置１０３、１０４のＣＰＵ２０２は、選択された一時停止中のジョブが印刷装置１０３、１０４内にあるプリントジョブの実行キューの先頭になったら印刷を開始する。
次に、Ｓ５００６では、印刷装置１０３、１０４のＣＰＵ２０２は印刷が終了したと判断したら、Ｓ５００７に進み、ＣＰＵ２０２は、Ｓ５００２でロックした給紙カセットのロックを解除して、本処理を終了する。
【００３１】
この時も図４で説明したように、ロックした給紙カセットに用紙が残っていたら、操作部２１０に用紙を取り除くように表示し、用紙が取り除かれたことを検知してからロックを解除してもよい。また、ロックした給紙カセットに予めセットされていた用紙サイズ、用紙のタイプを記憶しておき、ユーザの特殊な用紙が取り除かれたことを確認したタイミングで、その給紙カセットに対する用紙の設定を、元の用紙サイズ用紙タイプの設定に戻してもよい。
【００３２】
以上のように、ユーザが印刷装置１０３、１０４にプリントジョブを投入した後で、印刷装置１０３、１０４の操作部２１０に表示されたジョブリストから該当のジョブを選択するフローを制御する。それによって、ユーザが用意した特殊な用紙を確実にユーザのジョブに適用するとともに、他のジョブに使用されないように制御することが可能となる。
なお、上記処理の説明では、一時停止コマンドが付加されたジョブを展開する処理について説明を省略しているが、プリンタ２１１が
いずれかの給紙手段に対するシートの種別が変更されることに応じて、ジョブから印刷する画像データを生成する処理を開始する構成となっている。これにより、できるだけ速やかに一時停止コマンドが付加されたジョブの印刷処理を開始できる。
【００３３】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３４】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３５】
１０１、１０２  コンピュータ
１０３，１０４  印刷装置
【図１】
2014108526.tif 000003
【図２】
2014108526.tif 000004
【図３】
2014108526.tif 000005
【図４】
2014108526.tif 000006
【図５】
2014108526.tif 000007
【図６】
2014108526.tif 000008